(57)【要約】【課題】  携帯端末の操作者がカメラモードにしているのか、それとも単に携帯端末を操作しているだけなのか、周囲の人（カメラを向けられている人）が判断できるようにする携帯端末を提供する。【解決手段】  撮像手段を介して映像を入力するカメラモードに切換えられたことを検出した場合、着信報知用のスピーカなどを使用して報知音を出力することを特徴とする。【選択図】        図４
2008104220.tif 000002
【特許請求の範囲】
【請求項１】
撮像手段と、受話スピーカと、該受話スピーカに比べて出力レベルの大きい着信報知用スピーカとを備えた携帯電話端末において、
前記着信報知用スピーカは、着信を受けたときに当該着信をユーザに報知するとともに、カメラモードに切換えられたときに、所定の報知音を出力することを特徴とする携帯電話端末の報知方法。
【請求項２】
前記着信報知用スピーカは、前記所定の報知音を、前記カメラモードにおいて、一定時間毎に出力することを特徴とする請求項１記載の携帯電話端末の報知方法。
【請求項３】
前記着信報知用スピーカは、前記カメラモードにおいて、カメラから取り込まれた映像の記録中は前記報知音を出力しないようにしたことを特徴とする請求項１又は請求項２記載の携帯電話端末の報知方法。
【請求項４】
前記着信報知用スピーカは、携帯端末周辺の照度が所定の明るさに満たないことを検出した場合に限り、前記報知音を出力することを特徴とする請求項１乃至請求項３記載の携帯電話端末の報知方法。
【請求項５】
撮像手段、受話スピーカと、該受話スピーカに比べて出力レベルの大きい着信報知用スピーカとを備えた携帯電話端末において、
前記着信報知用スピーカは、着信を受けたときに当該着信をユーザに報知するとともに、カメラモードに切換えられた後、撮影ボタンが半押しされたときに、所定の報知音を出力することを特徴とする携帯電話端末の報知方法。
【請求項６】
撮像手段を備えた携帯電話端末において、
カメラモードを選択する選択手段と、
受話スピーカと、
該受話スピーカに比べて出力レベルが大きく、着信を受けたときに当該着信をユーザに報知する着信報知用スピーカとを有し、
前記選択手段によってカメラモードを選択したことが検出された場合、前記着信をユーザに報知する着信報知用スピーカから所定の報知音を出力する制御手段を備えたことを特徴とする携帯電話端末。
【請求項７】
時間を計測する計時手段を備え、
該計時手段は、前記選択手段によってカメラモードを選択したことが検出されてから一定時間毎に信号を出力し、
前記制御手段は、前記計時手段の信号出力の都度前記着信をユーザに報知する着信報知用スピーカから前記所定の報知音を出力させることを特徴とする請求項６記載の携帯電話端末。
【請求項８】
前記撮影手段を介して入力される映像を記録する記録手段を備え、
前記制御手段は、前記記録手段が映像を記録中か否かを判別し、記録中の場合は前記着信をユーザに報知する着信報知用スピーカから前記所定の報知音を出力しないよう制御することを特徴とする請求項６又は請求項７記載の携帯電話端末。
【請求項９】
周囲の照度を計測する計測手段を備え、
前記制御手段は、前記計測手段が所定の照度以下を計測した場合に限り、前記着信をユーザに報知する着信報知用スピーカから前記所定の報知音を出力するよう制御したことを特徴とする請求項６乃至請求項８記載の携帯電話端末。
【請求項１０】
撮像手段を備えた携帯電話端末において、
カメラモードを選択する選択手段と、
撮影操作を行う撮影ボタンと、
受話スピーカと、
該受話スピーカに比べて出力レベルが大きく、着信を受けたときに当該着信をユーザに報知する着信報知用スピーカとを有し、
前記選択手段によってカメラモードを選択したことが検出された後、前記撮影ボタンが半押しされたことを検出した場合、前記着信をユーザに報知する着信報知用スピーカから所定の報知音を出力する制御手段を備えたことを特徴とする携帯電話端末。
【発明の詳細な説明】
【技術分野】
【０００１】
本発明は、カメラを使用して人や風景等を撮影できる携帯端末（携帯電話機、情報端末（ＰＤＡ：Personal Digital Assistant）、ボイスレコーダ、ノートＰＣ等）に関するものであり、特に、その携帯端末のカメラモードに関する動作状態を報知するものである。
【背景技術】
【０００２】
近年の携帯端末、特に携帯電話機は、高機能化と市場のニーズによりカメラ付きの携帯電話機が広く普及し始めている。これらカメラ付きの携帯電話機にあって、最近のカメラ付き携帯電話機の画素数はＣＩＦ（１０万画素程度）からＶＧＡ（３５万画素程度）へと高画素数化が図られている。これにより、比較的低解像度の画像を扱う、つまり当初の操作者自身の顔を撮影するか、至近距離の相手画像を取り込むことを前提とした使用から、高解像度の画像となる遠距離の相手の画像を取り込む使用へと変化している。また、これに伴い、携帯電話機におけるカメラの配置は従来の表示部とほぼ同じ向き（面）に配置するものよりも、表示部と反対の向き（面）、例えば表示部の有る面を正面とした場合、筐体の背面に配置しているものや、カメラを回動することでカメラの向きを自由に設定できるものが増え、多様な画角で被写体を撮影できるようにしたものが多い。また、このような市場ニーズに対応してズームやオートフォーカスの機能も追加されている。
【発明の開示】
【発明が解決しようとする課題】
【０００３】
しかしながら、上述したように携帯電話機のカメラが筐体の背面に配置されている場合やカメラが操作者以外のところを向いている場合、操作者が撮影する意志がなくてもカメラ（レンズ）が人に向いてしまうことがある。そのため、周囲の人（カメラを向けられている人）は携帯電話機の操作者がカメラモードにしているのか、それとも単に携帯電話機を操作しているだけなのか、見た目からでは判断できないので、携帯電話機のカメラ（レンズ）を向けられている人は撮影されているのか、または、撮影されていないのかわからなかった。
【０００４】
このような他人に対して迷惑をかけないための配慮（エチケット）として、撮影の瞬間を音やＬＥＤの光で報知するようにしているものがあるが、これでは撮影されたことしかわからず、撮影されることを事前に知ることはできないという問題があった。また、光で報知する方法では、撮影される相手が背を向けている場合は全く気が付かないという問題があった。
【０００５】
上述したように常時携帯している携帯電話機にカメラを備えることは、利用者がいつでもどこでもカメラにより撮影が可能になるという簡便さを長所としているが、その反面、カメラモードの使用禁止は利用者の自己規制に任せているため、しばしば使用環境によらず撮影を行ってしまうという行為が社会的な問題となっている。
【課題を解決するための手段】
【０００６】
上記課題を解決するために第一の発明によれば、撮像手段と、受話スピーカと、該受話スピーカに比べて出力レベルの大きい着信報知用スピーカとを備えた携帯電話端末において、前記着信報知用スピーカは、着信を受けたときに当該着信をユーザに報知するとともに、カメラモードに切換えられたときに、所定の報知音を出力することを特徴とする。  
これにより、カメラを向けられている人は携帯電話機の操作者がカメラモードに切換えているのかを容易に判断できる。また、携帯電話機のカメラが視野に入っていなくても、カメラモードに切換えられた携帯電話機の存在を容易に知ることが出来る。尚、上記カメラモードとは静止画及び／又は動画を撮影するモードである。
【０００７】
また、第二の発明によれば、前記着信報知用スピーカは、前記所定の報知音を、前記カメラモードにおいて、一定時間毎に出力することを特徴とする。  
これにより、カメラモードに切換えたことだけでなく、モード中であることを周囲に報知出来る。
【０００８】
また、第三の発明によれば、前記着信報知用スピーカは、前記カメラモードにおいて、カメラから取り込まれた映像の記録中は前記報知音を出力しないようにしたことを特徴とする。  
これにより、動画（音声を含む）を撮影中に、マイクが音を拾ってしまうのを防ぐことができる。
【０００９】
また、第四の発明によれば、前記着信報知用スピーカは、携帯端末周辺の照度が所定の明るさに満たないことを検出した場合に限り、前記報知音を出力することを特徴とする。  
これにより、周囲が暗く、撮影者の識別が困難な状況においても、カメラモードに切換えて使用している携帯電話機の存在を容易に認識出来る
また、第五の発明によれば、撮像手段、受話スピーカと、該受話スピーカに比べて出力レベルの大きい着信報知用スピーカとを備えた携帯電話端末において、前記着信報知用スピーカは、着信を受けたときに当該着信をユーザに報知するとともに、カメラモードに切換えられた後、撮影ボタンが半押しされたときに、所定の報知音を出力することを特徴とする。  
これにより、撮影直前のタイミングを撮影相手に知らせることができる。
【発明の効果】
【００１０】
以上説明した通り、本発明の携帯型電話装置を用いれば、次の効果が得られる。  
（１）カメラを向けられている人は携帯電話機の操作者がカメラモードに切換えているのかを容易に判断できる。  
（２）携帯電話機のカメラが視野に入っていなくても、カメラモードに切換えられた携帯電話機の存在を容易に知ることが出来る。  
（３）一定時間毎に繰り返してカメラモードであることを報知することにより、カメラモードに切換えたことだけでなく、モード中であることを周囲に報知出来る。  
（４）また、動画（音声を含む）の撮影中はこの音による報知を行わないように制御することにより、音声も記録する動画撮影への影響を防ぐことが出来る。  
（５）照度センサーを用いて、カメラモードを使用する周囲の明るさが暗い場合には積極的に音による報知を行うことにより、周囲が暗く、撮影者の識別が困難な状況においても、カメラモードに切換えて使用している携帯電話機の存在を容易に認識出来る。  
（６）撮影直前のタイミングを撮影相手に知らせることができる。  
（７）着信報知用スピーカや受話スピーカと兼用することにより回路スペースの問題やコスト削減にもなる。
【発明を実施するための最良の形態】
【００１１】
以下、本発明の一実施例に基づいて図を用いて説明する。  
図１及び図２は、本発明の一実施例であるカメラ付き携帯電話機の外観構成を示す図である。図１及び図２中の符号１は携帯電話機本体である。この携帯電話機本体１には、アンテナ２、操作部３、マイク４、カメラ部５、着信用ＬＥＤ６、着信報知用スピーカ７、受話スピーカ８、表示部９といった携帯電話機本体１の背面（表示部の有る面を正面とした場合）にカメラが付いている携帯電話機の基本的な構成となっている。
【００１２】
操作部３は、各種操作指示を行うためのものである。この操作部３にはテンキー、電源ボタン、着信ボタン、シャッターボタン、機能選択キー（ファンクションキー）などの各種ボタン及び操作キーが設けられている。表示部９はＬＣＤ（Liquid Crystal Display）からなり、電話番号の表示やカメラモード等のメニュー画面表示を行う。また、この表示部にはカメラ部５が映している画像や、取り込んだ画像なども表示される。なお、カメラ部５は、ＣＣＤ撮影素子などが用いられ、表示部９の面とは反対の面（背面）に設けられている。
【００１３】
着信用ＬＥＤ６は、着信があった時に点灯／点滅することでユーザに着信を報知するものである。この着信用ＬＥＤ６は、着信があったときに出来るだけ携帯電話機のどの面を見てもユーザが気付くように、同様に着信を点灯／点滅して報知する表示部９がユーザに対する認識をカバーできない位置に設けられている。従って、着信用ＬＥＤ６とカメラ部５は近くに設けることが望ましい。
【００１４】
着信報知用スピーカ７は、通常、着信を受けたときにメロディ等により着信をユーザに報知するスピーカであるが、このスピーカは着信報知以外にもアラーム機能の報知などにも用いられている。従って、ポケットや鞄の中から着信等を報知する着信報知用スピーカ７は受話スピーカ８に比べて出力レベルの大きいスピーカが用いられている。また、このような用途に使用される着信報知用スピーカ７は受話スピーカ８を配置している面とは反対の面（背面）に設けられている。
【００１５】
通常、携帯端末は複数のアプリケーション（メール、インターネットブラウザ、カメラモードなど）を持ち、上述した構成のカメラ付き携帯電話機にあっては、通常の電話機（データ通信、メール、インターネットブラウザの使用も含む）として使用する場合と、カメラ部を使用して撮像する場合（カメラモード）の２つの使用形態（動作状態）がある。この２つの使用状態の違いは、通常の電話機として使用する場合は、操作者自身若しくは通話相手との間だけに携帯端末が使用されるものであり、その携帯端末周辺の第三者は関与しないが、カメラ部を使用して撮像する場合は、操作者以外にもその周辺の第三者は関与するという点である。
【００１６】
尚、これら使用モードを表す動作状態以外にも、後に述べるようにカメラ部を使用する場合（カメラモード）においては、撮影準備中（撮影直前）や撮影直後のような処理状況を表すカメラモード中の各動作状態がある。
【００１７】
＜カメラモード＞  
通常の電話機としての使用からカメラ部を使用するモード。ユーザがメニュー画面を操作することによりカメラモードに切換えられる。または、機構的にカメラモードに切換えられる方式もある。尚、カメラモードに切換えても電話機の待ち受け等は可能である。
【００１８】
＜撮影準備中（撮影直前）＞  
シャッターボタン（撮影ボタン）を半押しすることで自動焦点調節（オートフォーカス）が開始され、自動焦点調節の完了（合焦）にてフォーカスがロックされる。そして、シャッターボタンを更に押すことにより画像を取り込む。つまり、シャッターボタンを押してから記録を開始するまでの期間。なお、いきなり、シャッターボタンを全押ししたときには、まず、自動焦点調節を行い、ピントが合うのを待ち、これが完了したときに、画像を取り込む。従って、この場合は、シャッターを押した直後から記録を開始するまでの期間である。
【００１９】
＜撮影直後＞  
取り込んだ画像の記録を開始し、表示部に表示されるまでの期間。又は、記録開始後、表示されてから数秒間までの期間。
【００２０】
次に、図３は本発明のカメラ付き携帯電話機の回路構成を示すブロック図である。携帯電話機は、携帯電話機全体の制御を司る制御部（ＣＰＵ）１８に各機能ブロックが接続された構成を有する。  
アンテナ１１は、通信に使用する電波の送信／受信を行う。メモリ１９は例えばＲＯＭ及び不揮発性のＲＡＭから構成され、制御部１８やディジタル信号処理プロセッサ（ＤＳＰ）１３が実行するプログラムや各種設定値、送受信メール、着信音データ、アドレス帳データ、画像データなどのデータ及び着信用ＬＥＤの発光（点灯）パターンや所定の報知音などを記憶する。無線部１２は、ＤＳＰ１３から受信した制御信号、音声信号等を所定の変調方式で変調しアンテナ１１へ出力し、アンテナ１１から入力された受信信号の復調を行い復調信号をＤＳＰ１３へ入力する。
【００２１】
Ｄ／Ａコンバータ１６はＤＳＰ１３の出力するディジタル音声信号や着信音等をアナログ音声信号に変換して、スピーカ１７に供給する。同様にＡ／Ｄコンバータ１４はマイク１５から入力されるアナログ音声信号をディジタル音声信号に変換してＤＳＰ１３に供給する。
【００２２】
操作部（選択手段）２１は例えばテンキー（０〜９の数字キー）＊、＃等の記号キー及びオンフックキー、オフフックキー、電源ボタン、シャッターボタン、機能選択キー（ファンクションキー）等から構成され、ユーザと携帯電話機とのインターフェースとして機能する。
【００２３】
表示部２０は例えば液晶ディスプレイや液晶タッチパネルなどからなり、ユーザの操作内容や操作メニュー、アドレス帳、携帯電話機の状態、時刻などを表示する。
【００２４】
カメラ部２３は例えばＣＣＤ等の撮像素子とレンズ等の光学系から構成される。画像処理プロセッサ２４は画像データの処理、加工、圧縮、伸長を行う。バッファメモリ２５はＣＣＤの出力に基づく画像データが一時的に格納されるメモリであり、メモリーカード（図示せず）に対する画像データの入出力速度の違いや、ＣＰＵ１８やＤＳＰ１３等の処理速度の違いを緩和するために利用される。また、例えば本携帯電話機がテレビ電話機能を行う場合などにも使用される。
【００２５】
照度センサー２７は表示部等に使用されるバックライトやＬＥＤ等の消費電力を抑えるために周囲の照度を計測するセンサーである。この照度センサー２７の計測結果に応じてバックライトやＬＥＤ等のＯＮ／ＯＦＦが制御される。タイマー２８は、後述する一定時間を計測する。
【００２６】
有線／無線通信インターフェース２６は外部機器との通信を行うためのインターフェースで、無線通信インターフェースの場合には比較的短距離（約１０ｍ程度）の通信を行うインターフェースであり、ＩｒＤＡ等の赤外線通信インターフェース、Ｂｌｕｅｔｏｏｔｈ等の電波を用いる通信インターフェース等がある。
【００２７】
制御部（ＣＰＵ）１８は例えばマイクロプロセッサ（ＭＰＵ）等を有し、携帯電話機全体の動作を制御する。そして、カメラ部２３、画像処理プロセッサ２４、バッファメモリ２５、メモリ１９、有線／無線通信インターフェース２６などがバス２２を介してそれぞれ制御部１８に接続されている。
【００２８】
次に、本発明の着信報知用スピーカの動作について図４のフローチャートを用いて説明する。  
携帯電話機の制御部はステップＳ１としてカメラモードに切換えられるタイミングのチェック処理を行っている。このカメラモードとはカメラ部が取り込んだ画像を表示部に表示しているような状態であり、いつでもシャッターを押すことで画像が取り込める状態を示している。また、これは、静止画の撮影だけでなく、動画の撮影及び発信することで通信相手側に画像を送信するテレビ電話モードも含む。
【００２９】
次に上述したチェック処理によりカメラモードに切換えられたことを検出すると制御部は処理をステップＳ１からステップＳ２に進め、着信報知用スピーカよりカメラモードに切り替わったことを音声Ａ（例えば「カメラモードです。」）で報知する。続いて、ステップＳ３で制御部はシャッターボタンが半押しされるタイミングのチェック処理を行う。ステップＳ３のチェック処理によりシャッターボタンが半押しされたことを検出すると制御部は処理をステップＳ３からステップＳ４に進め、着信用スピーカより撮影直前であることを音声Ｂ（例えば「撮影します。」「はい、チーズ」）で報知する。このシャッターボタンの半押しは例えば自動焦点調節（オートフォーカス）を示し、この処理時に上記音声Ｂを報知することで、撮影直前に撮影を行うことを周囲に知らしめることができる。
【００３０】
続いて、ステップＳ５はシャッターボタンが全押しされるタイミングのチェック処理を行う。ステップＳ５のチェック処理によりシャッターボタンが全押しされたことを検出すると制御部は処理をステップＳ５からステップＳ６に進め、着信報知用スピーカより撮影したことをシャッター音で報知する。尚、ステップＳ５はシャッターボタンの半押しが解除されたことのチェック処理も行い、シャッターボタンの半押しが解除されたことを検出した場合は、ステップＳ３の処理に戻る。
【００３１】
なお、シャッターボタンの半押し後直に全押しを行った場合は、音声Ｂとシャッター音が重なって報知されてしまうので、どちらか一方を報知するようにしても良い。
【００３２】
次に、ステップＳ３にてシャッターボタンの半押しを検出しない場合は、ステップＳ７においてカメラモードの解除指示がされていないか検出する。カメラモードの解除指示がない場合は、ステップＳ７からステップＳ８へと進み、カメラモードに切換えられてから一定時間経過したか否かを判定する。一定時間経過した場合は、ステップＳ２に戻り音声Ａを報知する。また、一定時間経過していない場合はステップＳ３の処理に戻る。尚、ステップＳ７においてカメラモードの解除指示を検出した場合は、カメラモードを終了する。
【００３３】
なお、上述したフローチャートに示していないが、動画を撮影する場合は前記ステップＳ８の処理行わないように制御することにより、一定時間後に報知される音声Ａを止めることができ、音声も記録する動画撮影への影響を防ぐことが出来る。
【００３４】
このように、カメラ部（レンズ）を向けられている相手は、音声報知により携帯電話機のユーザがカメラモードに切換えていること、更に撮影を行おうとしていることを認識できる。更に、カメラ部が向けられていることに気が付かない場合でも（例えば、カメラに対して背を向けている）、このように音声報知を行うことでカメラモードに気が付き注意を払うことができる。また、携帯電話機のユーザもこの音声報知によりカメラ部を不用意に人に向けないよう気を付けることができる。
【００３５】
また、照度センサーを用いることで、カメラモードを使用する周囲の明るさが暗い場合のみカメラモードであることを音声にて報知するように制御しても良い。これにより暗闇等の撮影者の識別が困難な状況においては特にカメラモードに切換えられていることを積極的に周囲に知らしめることが出来る。なお、周囲の明るさが暗い場合（所定の明るさに満たない場合）とは、例えばバックライトなしでは表示部の文字が読み難いような環境下、つまり兼用する照度センサーが周囲の照度を計測した結果、バックライトやＬＥＤを点灯させるよう制御する状態などを示す。
【００３６】
また、本実施例において、カメラモード及び撮影直前の報知を音声で行うよう記載しているが、音声に限定するものではなく音で報知するものであれば何でも良い。つまり、本実施例において、報知音の態様は、音声報知を行ったり、一定時間毎に繰り返して報知したりする態様を記載しているが、音を単発（例えば「ピッ、ピッ」）で発生する態様、音のパターンにより報知する態様、メロディを鳴らす態様、連続的に音を発する態様なども含むものとする。更に、スピーカからの出力レベルは一定であり、ユーザが自由に変更できないよう制御されている方が好ましい。また、音を報知する発音体は着信報知用スピーカに限定されるものではく、例えば受話スピーカ、リンガーなどでも良い。
【００３７】
また、本実施例において、カメラ部は表示部の面に対して反対の面（背面）に設けて記載したが、本発明は、操作者が撮影する意志がなくてもカメラ（レンズ）が人に向いてしまうような携帯端末を含むものであり、上述した実施例に限られるものではない。更に、カメラ部は着脱可能であっても良い。
【図面の簡単な説明】
【００３８】
【図１】本発明の一実施例であるカメラ付き携帯電話機の外観構成を示す図
【図２】本発明の一実施例であるカメラ付き携帯電話機の外観構成を示す図
【図３】本発明のカメラ付き携帯電話機の回路構成を示すブロック図
【図４】本発明の着信報知用スピーカの動作についてのフローチャート図
【符号の説明】
【００３９】
１：携帯電話機本体
２、１１：アンテナ
３、２１：操作部
４、１５：マイク
５、２３：カメラ部
６：着信用ＬＥＤ
７：着信報知用スピーカ
８、１７：受話スピーカ
９、２０：表示部
１２：無線部
１３：ＤＳＰ
１４：Ａ／Ｄコンバータ
１６：Ｄ／Ａコンバータ
１８：制御部
１９：メモリ
２２：バス
２４：画像処理プロセッサ
２５：バッファメモリ
２６：有線／無線通信インターフェース
２７：照度センサー
２８：タイマー
【図１】
2008104220.tif 000003
【図２】
2008104220.tif 000004
【図３】
2008104220.tif 000005
【図４】
2008104220.tif 000006